(57)【要約】【課題】マイクを配置できるスペースが限られている電子機器に対しても、効果的な集音機能を実現しマイクに対する安定した音声入力を実現できる集音装置を提供することにある。【解決手段】実施形態によれば、集音装置は、開口部から導入される音波の通路を有し前記開口部を除いて密閉されている筐体と、前記筐体の内部に設けられて前記通路を伝わる音波を所定の位置で入力するマイクロフォンを保持するマイクロフォン保持部材とを具備する。【選択図】図１
2013110632.tif 000002
【特許請求の範囲】
【請求項１】
開口部から導入される音波の通路を有し、前記開口部を除いて密閉されている筐体と、
前記筐体の内部に設けられて、前記通路を伝わる音波を所定の位置で入力するマイクロフォンを保持するマイクロフォン保持部材と
を具備する集音装置。
【請求項２】
前記マイクロフォン保持部材は、
前記通路と同一平面上に前記マイクロフォンを配置させるように、前記筐体の内部に設けられている請求項１に記載の集音装置。
【請求項３】
前記筐体は、
前記通路を介して前記開口部から前記マイクロフォンまでの距離が所定の音響特性に基づいて設定される構成である請求項１または請求項２のいずれか１項に記載の集音装置。
【請求項４】
前記マイクロフォン保持部材は、
前記通路に対して所定の角度を有し、前記開口部から導入される音波が反射して、前記マイクロフォンに入力される構成である請求項１に記載の集音装置。
【請求項５】
前記筐体は、
前記通路が水平方向及び垂直方向に連続する構成である請求項１から請求項３のいずれか１項に記載の集音装置。
【請求項６】
前記筐体は、
前記開口部から導入される音波が反射して、前記マイクロフォンに入力される構造の前記通路を有する請求項１に記載の集音装置。
【請求項７】
複数の前記筐体がそれぞれ独立して結合し、
前記各筐体のそれぞれの開口部から導入される音波を、各通路を介して各マイクロフォンに入力するように構成される請求項１から請求項６のいずれか１項に記載の集音装置。
【請求項８】
請求項１から請求項７のいずれか１項に記載の集音装置と、
スピーカと、
前記スピーカから所定の距離を有する位置に前記集音装置を取り付ける構造と
を具備する電子機器。
【請求項９】
請求項１から請求項７のいずれか１項に記載の集音装置と、
スピーカと、
ディスプレイを保持するベゼル部材とを具備し、
前記スピーカから所定の距離を有し、前記ベゼル部材の所定の位置に前記集音装置を取り付ける構造と
を具備する電子機器。
【請求項１０】
前記集音装置は、
前記開口部が、前記スピーカ及び音源発生部からの音源方向とは異なる方向に向けられる構成である請求項８または請求項９のいずれか１項に記載の電子機器。
【請求項１１】
音波を導入するための開口部を有する本体と、
前記本体の内部に取り外し可能に設けられて、前記開口部を除いて密閉されている集音装置とを具備し、
前記集音装置は、
前記開口部から導入される音波の通路と、
前記通路を伝わる音波を所定の位置で入力するマイクロフォンを保持するマイクロフォン保持部材と
を有する電子機器。
【請求項１２】
前記本体は、
ディスプレイを保持する第１の本体部材と、
前記第１の本体部材と反対側の第２の本体部材と、
前記開口部が前記第２の本体部材の一部に設けられる構成である請求項１１に記載の電子機器。
【発明の詳細な説明】
【技術分野】
【０００１】
本発明の実施形態は、集音装置及び集音装置を有する電子機器に関する。
【背景技術】
【０００２】
従来、携帯電話や携帯情報端末などには、音声を入力するマイクロフォン（以下単にマイクと表記する場合がある）が設けられている。また、近年では、パーソナルコンピュータやテレビジョン受信機（以下ＴＶ装置と表記する場合がある）などにも、双方向の音声通信を行なうためにマイクの取り付けが可能な製品がある。
【先行技術文献】
【特許文献】
【０００３】
【特許文献１】特開２００９−１１１７０２号公報
【発明の概要】
【発明が解決しようとする課題】
【０００４】
携帯電話などでは、構造上の制約もあり、マイクへ音声を導くための集音の改善やハウリング防止のための各種の工夫または提案がなされている。一方、ＴＶ装置などは、映像を再生するための表示パネルの薄型化に伴って、本体の薄型化、特に表示パネルを保持するベゼル（bezel）と呼ぶ枠の薄型化（狭ベゼル化）が進んでいる。また、ＴＶ装置では、再生音を出力するスピーカが設けられている。このスピーカは、携帯電話などのスピーカと比較して大出力であるため、ＴＶ装置にマイクを取り付けた場合には、ハウリングに対する影響が大きい。
【０００５】
このため、薄型化のＴＶ装置などの電子機器では、物理的にマイクを配置できるスペースが限られている上に、スピーカの近傍もマイクの配置場所としては適切ではない。従って、ＴＶ装置などの電子機器では、集音効果の大きいスペースにマイクを配置し、マイクに安定して音声を導くことが困難である。
【０００６】
本発明の目的は、マイクを配置できるスペースが限られている電子機器に対しても、効果的な集音機能を実現しマイクに対する安定した音声入力を実現できる集音装置を提供することにある。
【課題を解決するための手段】
【０００７】
実施形態によれば、集音装置は、開口部から導入される音波の通路を有し前記開口部を除いて密閉されている筐体と、前記筐体の内部に設けられて前記通路を伝わる音波を所定の位置で入力するマイクロフォンを保持するマイクロフォン保持部材とを具備する。
【図面の簡単な説明】
【０００８】
【図１】第１の実施形態に関する集音装置を有する電子機器の外観を示す図。
【図２】第１の実施形態に関する集音装置の構成を具体的に示す図。
【図３】第２の実施形態に関する集音装置１０の正面図。
【図４】第２の実施形態に関する集音装置１０の側面及び外観を示す図。
【図５】第３の実施形態に関する集音装置の構成を示す図。
【図６】第４の実施形態に関する集音装置の構成を示す図。
【図７】第１から第４の実施形態に関する集音装置のマイクの一例を示す図である。
【図８】第５の実施形態に関する集音装置の構成を示す図。
【図９】第６の実施形態に関する集音装置の構成を示す図。
【図１０】第７の実施形態に関する集音装置の構成を示す図。
【図１１】第８の実施形態に関する電子機器の外観を示す図。
【図１２】第８の実施形態に関する集音装置の側面を示す図。
【図１３】第９の実施形態に関する集音装置の側面を示す図。
【発明を実施するための形態】
【０００９】
以下図面を参照して、実施形態を説明する。
【００１０】
［第１の実施形態］
図１（Ａ），（Ｂ）は、本実施形態の集音装置１０を取り付けた電子機器２０の外観を示す図である。ここで、図１（Ａ）は正面図であり、図１（Ｂ）は側面図である。
【００１１】
図１（Ａ）に示すように、電子機器２０は、具体例としてテレビジョン受信機（ＴＶ装置）とする。ＴＶ装置２０は、液晶パネルからなる表示パネル２１を含む本体２２と、表示パネル２１を保持する枠（以下、ベゼル:bezelと呼ぶ）２３とを有する。表示パネル２１は、本体２２に含まれる映像受信モジュールで受信された映像を再生する画面である。
【００１２】
本実施形態の集音装置１０は、ベゼル２３の上部に取り付けられている。集音装置１０は、本体として開口部１１を除いて密閉されている筐体（ケース）から構成されている。開口部１１はスリット形状であり、筐体がベゼル２３の上部に取り付けられた場合に、例えばＴＶ装置２０の正面側に向くように設計されている。
【００１３】
図１（Ｂ）に示すように、集音装置１０は、密閉されている筐体の内部（中空部）には、開口部１１から導入される音声の通路１２、及びマイクロフォン（マイク）１５を保持するマイク保持部材１３が設けられている。マイク１５の信号線１４は、筐体の外部に延長されてＴＶ装置２０の本体２２に含まれて、音声認識機能などを有する音声処理モジュールなどに接続される。
【００１４】
図２は、図１（Ｂ）に示す側面図の詳細図である。
【００１５】
図２に示すように、ＴＶ装置２０の本体２２は、表示パネル２１と、複数層からなる基板２４と、スピーカ２５と、ウーハ（woofer）２６とを有する。基板２４には、映像受信モジュールや音声処理モジュールなどが実装されている。
【００１６】
集音装置１０は、ＴＶ装置２０の正面側に配置される開口部１１に対して、マイク保持部材１３が表示パネル２１の裏面側（本体２２の奥行方向）に配置されている。マイク保持部材１３は、無指向性のマイク１５が音声の通路１２と同一平面上、即ち奥行方向と平行に配置されるようにマイク１５を保持する。ここで、通路１２の距離、即ち開口部１１からマイク１５までの距離は、例えば３ｃｍ程度であり、マイク１５に入力される音質などの音響特性に基づいて設計される。
【００１７】
本実施形態の集音装置１０では、例えば、表示パネル２１に再生される映像を見ているユーザから発声された音声が、筐体の開口部１１から導入される。図２に示すように、開口部１１から導入された音声（音波）は、筐体の内部に設けられた通路１２を伝わり、マイク保持部材１３に保持されているマイク１５に入力される。このマイク１５により、ユーザから発声された音声は音声信号に変換されて、ＴＶ装置２０の本体２２に含まれる音声処理モジュールなどに送られる。
【００１８】
本実施形態の集音装置１０であれば、筐体は、開口部１１を除いて密閉されているため、表示パネル２１側を除いて、ＴＶ装置２０の周囲からの音（ノイズを含む）をある程度遮断することが可能である。マイク１５は、筐体の内部で表示パネル２１の裏側に配置されている。このため、マイク１５に対して、開口部１１からの音声以外の音の入力を抑制できる。
【００１９】
さらに、ＴＶ装置２０は、スピーカ２５やウーハ２６を備えているため、これらの発生音がマイク１５の入力音声とハウリングを起こす可能性が高い。本実施形態の集音装置１０は、表示パネル２１の上部に配置されることにより、スピーカ２５やウーハ２６とは距離を確保することが可能である。一般的に、音は距離の２乗に比例して減衰する特性を有する。
【００２０】
また、集音装置１０の開口部１１を、ＴＶ装置２０の正面側に向けて、スピーカ２５やウーハ２６などの音源の方向には設けない構造とすることにより、音源からの回り込み音(エコー；echo)の影響を抑制することができる。即ち、集音装置１０は、スピーカ２５やウーハ２６などの音源がある場合でも、高い音響特性（SER：signal-to-echo ratio)で集音することができる。
【００２１】
従って、本実施形態の集音装置１０であれば、効果的な集音機能を実現し、マイク１５に対する安定した音声入力を実現することができる。特に、本体２２の薄型化に伴って、
ベゼル２３の薄型化（狭ベゼル化）を実現しているＴＶ装置２０の場合には、ベゼル２３の内部にマイク１５を実装することは困難である。本実施形態の集音装置１０であれば、マイク１５をベゼル２３に組み込まずに、ベゼル２３に取り外し可能な一種のアダプタとして取り付けることが可能である。
【００２２】
ここで、薄型化のＴＶ装置２０では、デザイン性を優先してスピーカ２５などを表示パネル２１の下部に配置される設計が主流になっている。従って、スピーカ２５からの再生音の影響が大きいために、マイク１５を表示パネル２１の下部に配置することは、ハウリングが発生して音響特性上において望ましくない。また、本体２２の下側は障害物により集音効果が低下するため、マイク１５の配置場所として望ましくない。本実施形態の集音装置１０であれば、マイク１５の実装スペースが限定されている薄型化のＴＶ装置２０においても、集音効果の高いマイク１５の配置場所を確保することが可能となる。
【００２３】
［第２の実施形態］
図３は、第２の実施形態に関する集音装置１０の構成を示す正面図である。図４（Ａ）はその側面図であり、図４（Ｂ）は外観図である。なお、集音装置１０の内部構造は、図２に示すものと同様であるため説明を省略する。
【００２４】
本実施形態の集音装置１０は、複数のマイクを搭載する場合の構造である。図３に示すように、本実施形態の集音装置１０では、筐体は、それぞれ開口部１１を有する複数の小筐体が横方向に結合する構成からなる。各小筐体はそれぞれ、密閉された中空部を有し、
図２に示すように、開口部１１、通路１２及びマイク保持部材１３を含む。各マイク保持部材１３のそれぞれには、１個のマイクが実装されている。
【００２５】
図４（Ａ）は、本実施形態の集音装置１０が、ＴＶ装置２０の表示パネル２１の上部に取り付けられている構成を示す側面図である。ＴＶ装置２０の本体２２は、前述したように、表側には表示パネル２１を有し、裏面側には基板２４を含む。図４（Ｂ）は、ＴＶ装置２０の本体２２に取り付けられている集音装置１０の外観を示す図である。
【００２６】
このような複数のマイクを搭載する集音装置１０においても、前述したように、効果的な集音機能を実現し、複数のマイク１５に対する安定した音声入力を実現することができる。また、薄型化のＴＶ装置２０に対して、各マイク１５をベゼル２３に組み込まずに、ベゼル２３に取り外し可能な一種のアダプタとして取り付けることが可能である。
【００２７】
［第３の実施形態］
図５は、第３の実施形態に関する集音装置１０の構成を示す側面図である。なお、ＴＶ装置２０の周辺構成は、図１及び２に示すものと同様であるため説明を省略する。
【００２８】
図５に示すように、本実施形態の集音装置１０は、マイク保持部材１３が表示パネル２１の裏面側ではなく、表示パネル２１の上側に配置される構成である。筐体の内部は、スリット状の開口部１１から連続するＬ字形の通路１２を有する。マイク保持部材１３は、ＴＶ装置２０の正面側に配置される開口部１１に対して、垂直方向に配置されるようにマイク１５を保持する。
【００２９】
本実施形態の集音装置１０では、開口部１１から導入された音声（音波）は、水平方向の通路１２を伝わり、さらに垂直方向の通路１２を伝わることでマイク保持部材１３に保持されているマイク１５に入力される。このマイク１５により、ユーザから発声された音声は音声信号に変換されて、ＴＶ装置２０の音声処理モジュールなどに送られる。
【００３０】
本実施形態の集音装置１０の場合でも、前述したように、筐体は、開口部１１を除いて密閉されているため、ＴＶ装置２０の周囲からの音（ノイズを含む）をある程度遮断することが可能である。また、表示パネル２１の上部に配置されることにより、ＴＶ装置２０のスピーカ２５やウーハ２６とは距離を確保することが可能である。
【００３１】
さらに、開口部１１をＴＶ装置２０の正面側に向けて、スピーカ２５やウーハ２６などの音源の方向には設けない構造とすることにより、音源からの回り込み音(エコー；echo)の影響を抑制することができる。従って、本実施形態の集音装置１０であれば、効果的な集音機能を実現し、マイク１５に対する安定した音声入力を実現することができる。
【００３２】
［第４の実施形態］
図６は、第４の実施形態に関する集音装置１０の構成を示す側面図である。なお、ＴＶ装置２０の周辺構成は、図１及び２に示すものと同様であるため説明を省略する。
【００３３】
図６に示すように、本実施形態の集音装置１０は、マイク保持部材１３が表示パネル２１の裏面側（本体２２の奥行方向）で、かつスリット状の開口部１１から表示パネル２１の下側に配置される構成である。筐体の内部は、開口部１１から水平方向と垂直方向に連続する通路１２が設けられて、マイク保持部材１３が配置されている中空部に連絡している構造である。なお、開口部１１の垂直方向の幅は、表示パネル２１の上側のベゼル２３の幅ＢＷに相当する。
【００３４】
本実施形態の集音装置１０では、開口部１１から導入された音声（音波）１００は、水平方向の通路１２を伝わり、さらに垂直方向の通路１２を伝わることでマイク保持部材１３に保持されているマイク１５に入力される。このマイク１５により、ユーザから発声された音声は音声信号に変換されて、ＴＶ装置２０の音声処理モジュールなどに送られる。
【００３５】
本実施形態の集音装置１０の場合でも、前述したように、筐体は、開口部１１を除いて密閉されているため、表示パネル２１側を除いて、ＴＶ装置２０の周囲からの音（ノイズを含む）をある程度遮断することが可能である。また、マイク１５は、開口部１１から表示パネル２１の下側に配置されるため、スピーカ２５やウーハ２６などの音源からの回り込み音の影響を効果的に抑制することができる。従って、本実施形態の集音装置１０であれば、効果的な集音機能を実現し、マイク１５に対する安定した音声入力を実現することができる。
【００３６】
［マイク保持部材］
図７（Ａ），（Ｂ）は、前述した第１から第４の実施形態の集音装置１０において、マイク１５の一例を示す図である。
【００３７】
図７（Ａ）は、ＭＥＭＳ（Micro Electro Mechanical Systems）マイクの外観を示す図である。図７（Ａ）に示すように、マイク本体１５は中空の直方体からなり、例えば長さが４×３mm、高さが１mm程度のサイズである。マイク本体１５の表面の一部には、音孔１５０が設けられている。
【００３８】
図７（Ｂ）は、ＥＣＭ（Electret Condenser microphone）型マイクの外観を示す図である。図７（Ｂ）に示すように、マイク本体１５は中空の円柱からなり、表面の一部には音孔１５０が設けられている。
【００３９】
［第５の実施形態］
図８は、第５の実施形態に関する集音装置１０の構成を示す側面図である。なお、ＴＶ装置２０の周辺構成は、図１及び２に示すものと同様であるため説明を省略する。
【００４０】
図８に示すように、本実施形態の集音装置１０は、マイク１５を保持する部材として、所定の角度の斜面を有するエンクロージャー８０からなる。エンクロージャー８０は、例えばアクリルなどのプラスチック部材からなり、マイク１５が配置される部分には開口部８１を有する。本実施形態の集音装置１０は、表示パネル２１の裏面側に配置されている。ここで、本実施形態のＴＶ装置２０は、表示パネル２１の上側にはベゼル２３が無い構造である。
【００４１】
本実施形態の集音装置１０では、図８に示すように、表示パネル２１の正面側からユーザが発声した音声（音波）１００が、エンクロージャー８０の斜面と表示パネル２１の裏面の間を反射して、エンクロージャー８０に保持されているマイク１５に入力される。このマイク１５により、ユーザから発声された音声は音声信号に変換されて、ＴＶ装置２０の音声処理モジュールなどに送られる。
【００４２】
本実施形態の集音装置１０の場合には、マイク１５には、表示パネル２１の正面側から伝わる音声１００がエンクロージャー８０の斜面と表示パネル２１の裏面の間を反射しながら入力される。このため、音声１００が反射により増幅されて、マイク１５に入力される。従って、集音装置１０は、表示パネル２１の正面方向の音声を高い信号特性（SNR：signal-to- noise ratio)で集音することができる。
【００４３】
一方、マイク１５は、エンクロージャー８０に覆われて、表示パネル２１の裏面側の開口部８１から音声を入力する構造である。このため、ＴＶ装置２０のスピーカ２５やウーハ２６などの音源からの回り込み音(エコー；echo)の影響を抑制することができる。従って、本実施形態の集音装置１０であれば、効果的な集音機能を実現し、マイク１５に対する安定した音声入力を実現することができる。
【００４４】
［第６の実施形態］
図９は、第６の実施形態に関する集音装置１０の構成を示す側面図である。なお、ＴＶ装置２０の周辺構成は、図１及び２に示すものと同様であるため説明を省略する。
【００４５】
図９に示すように、本実施形態の集音装置１０は、図２に示すような第１の実施形態での集音装置１０において、マイク保持部材１３と表示パネル２１の上部が所定の角度を有する構成である。即ち、マイク保持部材１３に保持されるマイク１５は、所定の角度だけ上方向に配置される。また、表示パネル２１の上部は、所定の角度だけ、開口部１１から本体２２の奥行方向に傾斜する斜面２１０が形成される。
【００４６】
本実施形態の集音装置１０では、開口部１１から導入された音声（音波）は、水平方向の通路１２を伝わり、マイク保持部材１３に保持されているマイク１５に入力される。この場合、音声は、表示パネル２１の斜面２１０が奥行方向に傾斜しているため、進行しやすい。また、マイク１５は、所定の角度だけ上方向に配置されるため、開口部１１から導入された音声を入力しやすい。従って、集音装置１０は、表示パネル２１の正面方向の音声を集音しやすい状態となる。
【００４７】
一方、集音装置１０の開口部１１は表示パネル２１の正面側に向けられるため、スピーカ２５やウーハ２６などの音源からの回り込み音の影響を抑制することができる。即ち、集音装置１０は、スピーカ２５やウーハ２６などの音源がある場合でも、表示パネル２１の正面側でユーザが発声した音声を効果的に集音することができる。
【００４８】
［第７の実施形態］
図１０は、第７の実施形態に関する集音装置１０の構成を示す側面図である。なお、ＴＶ装置２０の周辺構成は、図１及び２に示すものと同様であるため説明を省略する。
【００４９】
図１０に示すように、本実施形態の集音装置１０は、幅ＢＷのベゼル２３の上部に形成された開口部１１と音声の通路１２に結合するように、取り付けられる筐体（ケース）から構成されている。筐体は、通路１２に結合する部分を除いて密閉されており、マイク１５を保持するマイク保持部材１３が設けられている。
【００５０】
本実施形態の集音装置１０では、例えば、表示パネル２１に再生される映像を見ているユーザから発声された音声が、ベゼル２３に形成された開口部１１及び通路１２を介して筐体に入る。筐体に伝わった音声は、マイク保持部材１３に保持されているマイク１５に入力される。このマイク１５により、ユーザから発声された音声は音声信号に変換されて、ＴＶ装置２０の本体２２に含まれる基板２４の音声処理モジュールなどに送られる。
【００５１】
本実施形態の集音装置１０の場合でも、前述したように、筐体は密閉されているため、ベゼル２３に形成された開口部１１を除いて、ＴＶ装置２０の周囲からの音（ノイズを含む）を遮断し、スピーカ２５やウーハ２６などの音源からの回り込み音の影響を効果的に抑制することができる。従って、本実施形態の集音装置１０であれば、効果的な集音機能を実現し、マイク１５に対する安定した音声入力を実現することができる。
【００５２】
さらに、本実施形態の場合には、ベゼル２３に開口部１１及び通路１２を形成する構成であるため、マイク１５をベゼル２３に組み込まずに、取り外し可能な一種のアダプタとして集音装置１０を取り付けることが可能である。従って、ベゼル２３の薄型化（狭ベゼル化）と共に、集音装置１０を表示パネル２１の裏面側に配置させることが可能である。これにより、デザイン性を優先した薄型化のＴＶ装置２０の設計が可能となる。
【００５３】
［第８の実施形態］
図１１及び図１２は、第８の実施形態に関する集音装置１０の構成を示す図である。なお、ＴＶ装置２０の周辺構成は、図１及び２に示すものと同様であるため説明を省略する。
【００５４】
図１１（Ａ）は、ＴＶ装置２０の裏面側を示す外観図である。図１１（Ｂ）は、ＴＶ装置２０の正面側を示す外観図である。図１２は、ＴＶ装置２０の本体の内部を示す側面図であり、本実施形態に関する集音装置１０の構成を示す図である。
【００５５】
図１２に示すように、本実施形態の集音装置１０は、ＴＶ装置２０の本体の内部に取り外し可能に組み込まれており、音声の通路１２及びマイクを保持するマイク保持部材１３を有する。通路１２は、ＴＶ装置２０の本体のバックキャビネット２２Ｂに沿って配置されている。さらに、通路１２は、マイク保持部材１３が配置されている中空部まで連続している。
【００５６】
バックキャビネット２２Ｂは、図１１（Ａ）に示すように、本体の裏面側を構成する本体部材である。本実施形態では、バックキャビネット２２Ｂの上部に、例えば２か所にスリット（開口部）３１が設けられる。図１１（Ｂ）に示すように、これらの各スリット３１は、表示パネル２１の正面側からユーザには見えない場所に配置される。なお、表示パネル２１は、フロントキャビネット２２Ａにより保持されている。
【００５７】
本実施形態の集音装置１０では、例えば、表示パネル２１に再生される映像を見ているユーザから発声された音声が、バックキャビネット２２Ｂに形成されたスリット３１から導入される。この導入された音声は、通路１２を伝わり、マイク保持部材１３に保持されているマイクに入力される。このマイクにより、ユーザから発声された音声は音声信号に変換されて、ＴＶ装置２０の本体に含まれる音声処理モジュールなどに送られる。
【００５８】
本実施形態の集音装置１０は、スリット３１を除いて、ＴＶ装置２０のバックキャビネット２２Ｂにより密閉されている。このため、ＴＶ装置２０の周囲からの音（ノイズを含む）を遮断し、スピーカ２５やウーハ２６などの音源からの回り込み音の影響を効果的に抑制することができる。従って、本実施形態の集音装置１０であれば、効果的な集音機能を実現し、マイクに対する安定した音声入力を実現することができる。
【００５９】
［第９の実施形態］
図１３は、第９の実施形態に関する集音装置１０の構成を示す図である。なお、ＴＶ装置２０の周辺構成は、図１１に示すものと同様であるため説明を省略する。
【００６０】
図１３に示すように、本実施形態では、２か所のスリット（開口部）３１は、バックキャビネット２２Ｂの上部で、表示パネル２１の正面側に向くように設けられる。なお、他の構成は、図１２に示すように、第８の実施形態に関する集音装置１０の構成と同様のため説明を省略する。
【００６１】
本実施形態の集音装置１０の場合でも、スリット３１を除いて、ＴＶ装置２０のバックキャビネット２２Ｂにより密閉されている。このため、ＴＶ装置２０の周囲からの音（ノイズを含む）を遮断し、スピーカ２５やウーハ２６などの音源からの回り込み音の影響を効果的に抑制することができる。従って、本実施形態の集音装置１０であれば、効果的な集音機能を実現し、マイクに対する安定した音声入力を実現することができる。特に、本実施形態の場合には、スリット３１が表示パネル２１の正面側に向いている構造であるため、例えば、表示パネル２１に再生される映像を見ているユーザから発声された音声を効果的に導入することができる。
【００６２】
以上のように各実施形態の集音装置１０は、ＴＶ装置２０のベゼルやバックキャビネットから取り外し可能な一種のアダプタとして使用することが可能である。集音用のマイクをベゼルに組み込むマイク搭載機種のＴＶ装置は、ベゼルと表示パネル２１とが一体になっていることが多いため、生産工程が複雑であり、相対的に高い生産コストを要すことが予想される。これ対して、各実施形態の集音装置１０であれば、マイク非搭載機種のＴＶ装置にマイクを取り付けることができるため、結果として、相対的に低生産コストでかつ集音機能を備えたＴＶ装置を提供できる。
【００６３】
なお、各実施形態では、集音装置１０を取り付ける電子機器として、ＴＶ装置を想定したが、これに限ることなく、パーソナルコンピュータなどにも適用できる。また、集音機能を利用して、音声による機器の操作を行なう装置であれば、例えば空調機器などにも適用できる。
【００６４】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００６５】
１０…集音装置、１１…開口部（スリット）、１２…通路、１３…マイク保持部材、
１４…信号線、１５…マイクロフォン（マイク）、２０…電子機器（ＴＶ装置）、
２１…表示パネル、２２…本体、２３…ベゼル、２４…基板、２５…スピーカ、
２６…ウーハ、２２Ａ…フロントキャビネット、２２Ｂ…バックキャビネット、
３１…スリット、８０…エンクロージャー。
【図１】
2013110632.tif 000003
【図２】
2013110632.tif 000004
【図３】
2013110632.tif 000005
【図４】
2013110632.tif 000006
【図５】
2013110632.tif 000007
【図６】
2013110632.tif 000008
【図７】
2013110632.tif 000009
【図８】
2013110632.tif 000010
【図９】
2013110632.tif 000011
【図１０】
2013110632.tif 000012
【図１１】
2013110632.tif 000013
【図１２】
2013110632.tif 000014
【図１３】
2013110632.tif 000015